(57)【要約】【課題】長期使用による異臭の発生が有利に防止され得る磁気フィルタ装置を提供する。【解決手段】強磁性粉粒体が混入した被処理流体の出入口２６，２２を有するケーシング１２内に、磁気フィルタユニット１４を収容すると共に、かかる磁気フィルタユニット１４を、磁石３８と、それを間に挟んだ状態で、磁石３８に対して部分的に接触して配置された一対の強磁性プレート４０ａ，４０ｂとを有し、且つ各強磁性プレート４０ａ，４０ｂの磁石３８との非接触部位からなる磁極片部５０ａ，５０ｂ同士が互いに対向配置されると共に、それらの磁極片部５０ａ，５０ｂの互いの対向部位に流体通過部４８ａ，４８ｂが設けられてなる構造とし、更に、各強磁性プレート４０ａ，４０のそれぞれの表面のうちの少なくとも被処理流体と接触する部分に、銀を含む被膜を形成して、構成した。【選択図】図１
2010227825.tif 000002
【特許請求の範囲】
【請求項１】
強磁性粉粒体が混入した被処理流体を導入する導入口と、該被処理流体を排出せしめる排出口とを備えたケーシング内に、該被処理流体中から、磁気を利用して、該強磁性粉粒体を吸着分離する磁気フィルタユニットが収容されてなる磁気フィルタ装置であって、該磁気フィルタユニットが、磁石と、該磁石を間に挟んだ状態で、該磁石に対して部分的に接触して配置された一対の強磁性プレートとを有し、且つ該一対の強磁性プレートの該磁石との非接触部位が、それぞれ、互いに異なる極性に着磁された磁極片部とされると共に、それら各強磁性プレートの磁極片部同士が互いに所定距離を隔てて対向配置され、更に、各強磁性プレートにおける該磁極片部の互いの対向部位に、前記被処理流体が通過可能な流体通過部がそれぞれ設けられてなるものにおいて、
前記一対の強磁性プレートのそれぞれの表面のうちの少なくとも前記被処理流体と接触する部分に、銀を含む被膜を形成したことを特徴とする磁気フィルタ装置。
【請求項２】
前記磁気フィルタユニットが、前記ケーシング内に複数収容され、且つそれら複数の磁気フィルタユニットのそれぞれにおける前記強磁性プレートの磁極片部が、該ケーシングの前記導入口から前記排出口に向かって該ケーシング内を流れる前記被処理流体の流動方向において互いに対向位置せしめられた状態で、該複数の磁気フィルタユニットが積層配置されている請求項１に記載の磁気フィルタ装置。
【発明の詳細な説明】
【技術分野】
【０００１】
本発明は、磁気フィルタ装置に係り、特に、強磁性粉粒体が混入した被処理流体中から、磁気を利用して、強磁性粉粒体を吸着分離する磁気フィルタ装置の改良された構造に関する。
【背景技術】
【０００２】
従来より、エンジンや変速機、或いは各種の油圧システム等のように、潤滑油や作動油等の流体が内部を循環する構造を備えた装置や機器が、様々な用途で使用されている。これらの装置や機器においては、その使用中に、金属部品の表面が徐々に摩耗する。そのため、そのような金属部品の表面の摩耗により発生した金属粉粒体が、内部を循環する流体中に不可避的に混入し、懸濁するようになる。この流体中の金属粉粒体は、金属部品表面の摩耗を更に促進させる。
【０００３】
そこで、上記のようなエンジンや変速機、油圧システム等の多くのものにおいては、摩耗する金属部品が鉄等の強磁性体からなるところから、磁気エネルギーを利用して、流体中に混入した強磁性粉粒体（金属粉粒体）を吸着、分離（濾過）するための磁気フィルタ装置が設置されている。この磁気フィルタ装置には各種の構造のものがあり、その中でも有利な特徴を発揮する磁気フィルタ装置として、以下の如き構造を有するものが知られている（下記特許文献１参照）。
【０００４】
すなわち、かかる磁気フィルタ装置は、強磁性粉粒体の被処理流体の導入口と排出口とを備えたケーシング内に、磁気フィルタユニットが、１個又は複数個収容されてなっている。また、磁気フィルタユニットは、磁石と、その磁石を間に挟んだ状態で、磁石に対して部分的に接触して配置された一対の強磁性プレートとを有している。そして、一対の強磁性プレートの磁石との非接触部位が、それぞれ、互いに異なる極性に着磁された磁極片部とされて、それら各強磁性プレートの磁極片部同士が互いに所定距離を隔てて対向配置されており、更に、そのような磁極片部の互いの対向部位に、被処理流体が通過可能な、切欠部や貫通孔等からなる流体通過部がそれぞれ設けられている。
【０００５】
かくして、かかる構造を有する磁気フィルタ装置にあっては、導入口からケーシング内に導入された被処理流体が、各強磁性プレートに設けられた流体通過部を通じて、一方の強磁性プレート側から他方の強磁性プレート側に流動させられ、そして、その際に、被処理流体中から、強磁性粉粒体が、各強磁性プレートの磁極片部によって吸引されて、それらの磁極片部に吸着され、以て、被処理流体中から、強磁性粉粒体が確実に且つ効率的に分離され得るようになっている。また、強磁性粉粒体が分離された流体は、排出口を通じて、ケーシングの外部に排出されるようになっている。
【０００６】
ところが、かくの如き構造とされた従来の磁気フィルタ装置の使用性等について、本発明者が様々な角度から検証を行ったところ、かかる従来装置には、長期の使用によって異臭を生ずるようになるといった欠点が存することが、明らかとなったのである。
【先行技術文献】
【特許文献】
【０００７】
【特許文献１】特許第４０９６９９６号公報
【発明の概要】
【発明が解決しようとする課題】
【０００８】
ここにおいて、本発明は、上述せる如き事情を背景にして為されたものであって、その解決課題とするところは、長期の使用による異臭の発生が有利に防止され得るようにした磁気フィルタ装置の改良された構造を提供することにある。
【課題を解決するための手段】
【０００９】
そして、本発明者は、かかる課題を解決するために種々検討を行う過程で、一対の強磁性プレートのそれぞれの表面に被膜を形成することによって、異臭の発生を防止乃至は抑制することを着想した。そして、この着想を基に、更に鋭意研究を重ねた結果、被膜の形成材料として、抗菌材料の一種たる銀を用いることが、異臭発生の防止に極めて有効であることを、見出したのである。
【００１０】
すなわち、本発明は、かかる知見に基づいて完成されたものであって、その要旨とするところは、強磁性粉粒体が混入した被処理流体を導入する導入口と、該被処理流体を排出せしめる排出口とを備えたケーシング内に、該被処理流体中から、磁気を利用して、該強磁性粉粒体を吸着分離する磁気フィルタユニットが収容されてなる磁気フィルタ装置であって、該磁気フィルタユニットが、磁石と、該磁石を間に挟んだ状態で、該磁石に対して部分的に接触して配置された一対の強磁性プレートとを有し、且つ該一対の強磁性プレートの該磁石との非接触部位が、それぞれ、互いに異なる極性に着磁された磁極片部とされると共に、それら各強磁性プレートの磁極片部同士が互いに所定距離を隔てて対向配置され、更に、各強磁性プレートにおける該磁極片部の互いの対向部位に、前記被処理流体が通過可能な流体通過部がそれぞれ設けられてなるものにおいて、前記一対の強磁性プレートのそれぞれの表面のうちの少なくとも前記被処理流体と接触する部分に、銀を含む被膜を形成したことを特徴とする磁気フィルタ装置にある。
【００１１】
また、本発明にあっては、前記磁気フィルタユニットが、前記ケーシング内に複数収容され、且つそれら複数の磁気フィルタユニットのそれぞれにおける前記強磁性プレートの磁極片部が、該ケーシングの前記導入口から前記排出口に向かって該ケーシング内を流れる前記被処理流体の流動方向において互いに対向位置せしめられた状態で、該複数の磁気フィルタユニットが積層配置されてなる構造が好適に採用される。
【発明の効果】
【００１２】
要するに、本発明に従う磁気フィルタ装置においては、従来装置と同様に、導入口からケーシング内に導入された被処理流体を、各強磁性プレートに設けられた流体通過部を通じて、一方の強磁性プレート側から他方の強磁性プレート側に流動させることによって、被処理流体中から、強磁性粉粒体を確実に且つ効率的に吸着分離することが出来る。
【００１３】
そして、特に、かかる磁気フィルタ装置では、被処理流体と接触する各強磁性プレートの表面部分に、銀を含む被膜が形成されている。このため、被処理流体中に混入する、異臭の元となる原因物質が、第一及び第二の強磁性プレートの表面に付着することが、効果的に防止され得る。
【００１４】
従って、かくの如き本発明に従う磁気フィルタ装置を用いれば、強磁性粉粒体の被処理流体中から、強磁性粉粒体を確実に且つ効率的に吸着分離し得るだけでなく、その使用期間が長期に亘っても、装置内部から異臭が発生するようなことが、極めて有利に防止され得ることとなるのである。
【図面の簡単な説明】
【００１５】
【図１】本発明に従う磁気フィルタ装置の一実施形態を示す縦断面説明図であって、図２のＩ−Ｉ断面に相当する図である。
【図２】図１のII−II断面説明図である。
【図３】図１のIII−III断面説明図である。
【図４】図１に示された磁気フィルタ装置の磁気フィルタユニットを構成する吸着プレートの平面説明図である。
【図５】図４のＶ−Ｖ断面における部分拡大説明図である。
【発明を実施するための形態】
【００１６】
以下、本発明を更に具体的に明らかにするために、本発明の実施の形態について、図面を参照しつつ、詳細に説明することとする。
【００１７】
先ず、図１には、本発明に従う構造を有する磁気フィルタ装置の一実施形態として、内部を作動油が循環して、所定のアクチュエータを作動させる油圧システムに組み付けられる磁気フィルタ装置が、その軸方向の断面形態において示されており、また、図２には、その軸直角方向の断面形態が、更に、図３には、図２とは異なる部分での軸直角方向の断面形態が、それぞれ示されている。それらの図から明らかなように、本実施形態の磁気フィルタ装置１０は、ケーシング１２と、このケーシング１２内に収容された複数（ここでは４個）の磁気フィルタユニット１４とを有している。
【００１８】
より詳細には、ケーシング１２は、全体として、上下方向に延びる両側有底の円筒形状を呈している。そして、上側底部と上側筒部とを有して、ケーシング１２の上側半分の部分を構成する上側分割体１６と、下側底部と下側筒部とを有して、ケーシング１２の下側半分の部分を構成する下側分割体１８の二つの分割体が着脱可能に組み付けられてなる構造とされている。また、かかるケーシング１２における上側分割体１６の上側底部の中央部には、上側接続筒部２０が一体形成されており、この上側接続筒部２０の内孔にて、鉄粉等の強磁性粉粒体が混入した被処理流体たる作動油等をケーシング１２内に導入する導入口２２が構成されている。一方、下側分割体１８の下側底部の中央部には、下側接続筒部２４が一体形成されて、この下側接続筒部２４の内孔にて、ケーシング１２内に導入された作動油をケーシング１２外に排出する排出口２６が構成されている。
【００１９】
また、ケーシング１２の内側には、仕切プレート２８が、配設されている。この仕切りプレート２８は、図１及び図２から明らかなように、ケーシング１２の上側分割体１６の内径と略同一の外径を有する薄肉円板形状を呈し、好適には、アルミニウム等の非磁性体材料や樹脂材料等を用いて形成されている。かかる仕切りプレート２８の中心部には、挿通孔３０が穿設されている。この挿通孔３０は、円形の周上の一部が平坦部分とされた形状を有している。仕切りプレート２８の外周部には、楕円形状を呈する複数（ここでは８個）の透孔３２が、周方向に等間隔を隔てて位置するように穿設されている。
【００２０】
そして、このような仕切りプレート２８が、その外周面を、上側分割体１６の上側筒部の上端部の内周面に当接させた状態で、上側分割体１６に固定されている。これにより、ケーシング１２の内側空間が、仕切りプレート２８にて、容積の小さな上側空間と容積の大きな下側空間の二つに仕切られて、かかる上側空間が、作動油導入空間３４とされている一方、下側空間が、前記複数の磁気フィルタユニット１４を収容するユニット収容空間３６とされている。
【００２１】
かくして、本実施形態の磁気フィルタ装置１０では、作動油が、先ず、導入口２２を通じて、ケーシング１２の作動油導入空間３４内に導入され、そこから、仕切りプレート２８の複数の透孔３２を通じて、ユニット収容空間３６内に流入せしめられるようになっている。なお、仕切りプレート２８の中央の挿通孔３０は、後述する支持筒体５６の挿通により閉塞されるため、かかる挿通孔３０を通じての作動油の流動はない。
【００２２】
一方、ケーシング１２のユニット収容空間３６内に収容された複数の磁気フィルタユニット１４は、互いに同一の構造を有している。即ち、各磁気フィルタユニット１４は、図１及び図３に示されるように、永久磁石３８と、この永久磁石３８を間に挟んで配置された、強磁性プレートとしての一対の吸着プレート４０ａ，４０ｂとを有している。
【００２３】
永久磁石３８は、全体として、厚肉の円環板形状を有しており、その軸方向両側の端面が、互いに異なる磁極面とされて、一方の端面がＮ極面４２、他方の端面がＳ極面４４とされている。また、この永久磁石３８においては、その内孔３９が、円形の周上の一部が平坦部分とされた、仕切りプレート２８の挿通孔３０と同一の形状及び大きさを有している。
【００２４】
一対の吸着プレート４０ａ，４０ｂは、互いに同一の構造及び形状を有している。即ち、図１及び図４に示されるように、吸着プレート４０ａ（４０ｂ）は、全体として、仕切りプレート２８よりも一周り小さな略薄肉円板形状を有し、例えば、鉄やステンレス等の強磁性体材料を用いて形成されている。そして、この吸着プレート４０ａ（４０ｂ）の中心部には、挿通孔４６ａ（４６ｂ）が穿設されている。この挿通孔４６ａ（４６ｂ）は、円形の周上の一部が平坦部分とされた、仕切りプレート２８の挿通孔３０と同一の形状及び大きさを有している。
【００２５】
また、吸着プレート４０ａ（４０ｂ）の外周部には、略半楕円形状を呈する、流体通過部としての切欠部４８ａ（４８ｂ）の複数（ここでは８個）が、周方向に等間隔を隔てて位置するように形成されている。これにより、吸着プレート４０ａ（４０ｂ）の外周部のうち、周方向に互いに隣り合う切欠部４８ａ（４８ｂ），４８ａ（４８ｂ）の間に位置する部分が、それぞれ磁極片部５０ａ（５０ｂ）とされている。換言すれば、吸着プレート４０ａ（４０ｂ）には、その外周部に対して、略矩形状を呈する複数（ここでは８個）の磁極片部５０ａ（５０ｂ）が、周方向に互いに等間隔を隔てて放射状に延びるように一体形成されている。また、それら各磁極片部５０ａ（５０ｂ）においては、その先端側の略半分の部分が、板厚方向の一方側に向かって屈曲乃至は湾曲せしめられた曲げ部５２ａ（５２ｂ）とされている。更に、そのような各磁極片部５０における曲げ部５２ａ（５２ｂ）の幅方向［吸着プレート４０ａ（４０ｂ）の周方向］の中央部と、周方向に隣り合う磁極片部５０ａ（５０ｂ），５０ａ（５０ｂ）の間の中央部とには、スリット５４ａ（５４ｂ）が、それぞれ一つずつ形成されている。
【００２６】
そして、本実施形態では、特に、図５に示されるように、吸着プレート４０ａ（４０ｂ）の全面（図５には、表面の一部のみを示す）に対して、銀被膜５３ａ（５３ｂ）が、形成されている。この銀被膜５３ａ（５３ｂ）の厚さは、特に限定されるものではなく、適宜に設定される。本実施形態では、１０μｍ程度とされている。また、吸着プレート４０ａ（４０ｂ）に対する銀被膜５３ａ（５３ｂ）の形成手法も、従来より公知の手法が採用され得る。かかる形成手法としては、例えば、メッキや、各種の物理蒸着法、化学蒸着法等の薄膜形成手法が、挙げられる。更に、銀被膜５３ａ（５３ｂ）の形成材料としては、純銀の他、銀を含む合金材料も使用可能である。
【００２７】
そして、かかる一対の吸着プレート４０ａ，４０ｂが、永久磁石３８を間に挟んで、永久磁石３８と同軸的に且つ各吸着プレート４０ａ，４０ｂの挿通孔４６ａ，４６ｂと永久磁石３８の内孔３９とを、それぞれの内周面の平坦部分が周方向において対応位置させた状態で、配置されている。また、そのような配置状態下で、一方の吸着プレート４０ａが、複数の磁極片部５０ａが形成される外周部を除く中心側部分の厚さ方向一方の面において、永久磁石３８のＮ極面４２に接触して、吸着されている一方、他方の吸着プレート４０ｂが、複数の磁極片部５０ｂが形成される外周部を除く中心側部分の厚さ方向一方の面において、永久磁石３８のＳ極面４４に接触して、吸着されている。これにより、吸着プレート４０ａの複数の磁極片部５０ａの全てがＮ極に着磁され、且つ吸着プレート４０ｂの複数の磁極片部５０ｂの全てがＳ極に着磁された状態で、一対の吸着プレート４０ａ，４０ｂと永久磁石３８とが一体的に組み付けられている。
【００２８】
また、かかる組付下において、吸着プレート４０ａの複数の磁極片部５０ａと吸着プレート４０ｂの複数の磁極片部５０ｂのそれぞれの周方向位置が一致せしめられている。これにより、それら複数の磁極片部５０ａと複数の磁極片部５０ｂとが、個々のものにおいて互いに対向配置されている。そして、互いに対向位置せしめられた磁極片部５０ａの曲げ部５２ａと磁極片部５０ｂの曲げ部５２ｂとが、先端に向かうに従って互いに接近するように位置せしめられている。
【００２９】
さらに、一対の吸着プレート４０ａ，４０ｂのそれぞれの磁極片部５０ａ，５０ｂとが互いに対向配置されていることによって、複数の切欠部４８ａと複数の切欠部４８ｂも、個々のものにおいて、磁極片部５０ａ，５０ｂの対向方向に対応位置せしめられている。これにより、一対の吸着プレート４０ａ，４０ｂの間には、一方の吸着プレート４０ａの切欠部４８ａを流入口とする一方、他方の吸着プレート４０ｂの切欠部４８ｂを流出口として、磁極片部５０ａ，５０ｂ同士の対向方向と直角な方向に延びる、前記作動油を一方の吸着プレート４０ａ側から他方の吸着プレート４０ｂ側に流通させる流路５５が、周方向に複数（ここでは８個）設けられている。
【００３０】
かくして、磁気フィルタユニット１４が、上記の如き配置構造において、二つの吸着プレート４０ａ，４０ｂと永久磁石３８とを一体的に組み付けてなる組付品として、構成されている。そして、本実施形態では、そのような磁気フィルタユニット１４の複数（ここでは４個）が、支持筒体５６にて支持されている。
【００３１】
図１乃至図３に示されるように、支持筒体５６は、上側底部を備えた片側有底の円筒形状を呈し、例えば、アルミニウム等の非磁性体材料や樹脂材料等を用いて形成されている。この支持筒体５６は、ケーシング１２のユニット収容空間３６の高さよりも所定寸法だけ小さな高さを有している。そして、その外周面形状が、仕切りプレート２８及び吸着プレート４０ａ，４０ｂの各挿通孔３０，４６ａ，４６ｂや永久磁石３８の内孔３９のそれぞれの内周面形状に対応した形状、つまり、円筒面の周上の一部に平坦面部が形成された形状とされている。
【００３２】
また、かかる支持筒体５６の開口側の下端部には、円環板状の外フランジ部５８が、一体的に周設されている。この外フランジ部５８の下面には、４個（図１には２個のみを示す）の脚部６０が、周方向に互いに等間隔を隔てて一体的に立設されている。一方、支持筒体５６の上端部には、周溝６２が形成され、この周溝６２内に、Ｃリング６４が、その外周部を外部にはみ出させた状態で、嵌め込まれている。
【００３３】
そして、このような支持筒体５６が、ケーシング１２のユニット収容空間３６内の中心部において、各脚部６０により、下側分割体１８の下側底部の内面に載置された状態で、上下方向に延びように位置せしめられていると共に、かかる支持筒体５６における周溝６２の形成部位よりも上側の部分が、仕切りプレート２８の挿通孔３０を挿通せしめられて、作動油導入空間３４内に突入している。また、かかる状態下で、周溝６２内からはみ出したＣリング６４の外周部が、その全周に亘って、仕切りプレート２８の上面における挿通孔３０の開口周縁部に当接せしめられている。かくして、支持筒体５６が、ケーシング１２のユニット収容空間３６内の中心部において、下側分割体１８の下側底部と仕切りプレート２８とにて挟持されるようにして、固定されている。また、支持筒体５６は、仕切りプレート２８の挿通孔３０内に挿通された上端部の外周面の平坦部を、仕切りプレート２８の挿通孔３０の内周面の平坦部分に対応位置させており、それによって、かかる支持筒体５６の軸心回りの回転が阻止されている。
【００３４】
そして、そのような支持筒体５６の外フランジ部５８と仕切りプレート２８の挿通孔３０の挿通部位との間の筒部に対して、４個の磁気フィルタユニット１４，１４，１４，１４が、上下方向に積層されるようにして、外挿されている。即ち、各磁気フィルタユニット１４における永久磁石３８の内孔３９内と各吸着プレート４０ａ，４０ｂの挿通孔４６ａ，４６ｂ内に、支持筒体５６が挿通されている。なお、かかる挿通下で、支持筒体５６は、その外周面の平坦部分を、永久磁石３８の内孔３９と各吸着プレート４０ａ，４０ｂの挿通孔４６ａ，４６ｂのそれぞれの内周面の平坦部分に対応位置させており、それによって、各磁気フィルタユニット１４の軸心回りの回転が阻止されている。
【００３５】
また、そのような状態において、上下方向に互いに隣り合う磁気フィルタユニット１４，１４の間には、略円環板形状を呈するスペーサ６６が、１個ずつ、支持筒体５６に外挿されて、介在せしめられている。それらのスペーサ６６は、アルミニウム等の非磁性体材料や樹脂材料等を用いて形成されている。これによって、４個の磁気フィルタユニット１４，１４，１４，１４が、仕切りプレート２８と支持筒体５６の外フランジ部５８との間で挟持された状態で、固定されており、また、互いに隣り合う磁気フィルタユニット１４，１４の磁極片部５０ｂ，５０ａ同士の磁気的な短絡が阻止されるようになっている。なお、かかるスペーサ６６の内孔の内周面形状も、仕切りプレート２８及び吸着プレート４０ａ，４０ｂの各挿通孔３０，４６ａ，４６ｂや永久磁石３８の内孔３９のそれぞれの内周面形状に対応した形状、つまり、円筒面の周上の一部に平坦面部が形成された形状とされている。このため、支持筒体５６への外挿状態でのスペーサ６６の軸心回りの回転も、阻止されるようになっている。
【００３６】
そして、上記のようにして、支持筒体５８に外挿、固定された４個の磁気フィルタユニット１４，１４，１４，１４においては、各吸着プレート４０ａ，４０ｂの磁極片部５０ａ，５０ｂの周方向位置が全て同一の位置とされている。これによって、各磁気フィルタユニット１４において互いに対向する磁極片部５０ａ，５０ｂが、４個の磁気フィルタユニット１４，１４，１４，１４間で、上下方向に並んで位置せしめられている。また、各磁気フィルタユニット１４に、切欠部４８ａ，４８ｂを含んで複数設けられる流路５５の個々のものが、４個の磁気フィルタユニット１４，１４，１４，１４間において、上下方向に一直線に延びるように位置せしめられている。更に、図１及び図２に示されるように、そのような流路５５を形成する各磁気フィルタユニット１４の切欠部４８ａ，４８ｂの個々のものの周方向位置が、仕切りプレート２８の複数の透孔３２のそれぞれの周方向位置と同一の位置とされている。
【００３７】
ところで、かくの如き構造とされた本実施形態の磁気フィルタ装置１０を用いて、強磁性粉粒体が混入した作動油中から強磁性粉粒体を分離するには、例えば、図１に示されるように、かかる作動油が流通する流通パイプ６８（図１に二点鎖線で示す）の途中等において、ケーシング１２の上側接続筒部２０が、流通パイプ６８の上流側部分に、また、ケーシング１２の下側接続筒部２４が、流通パイプ６８の下流側部分に、それぞれ接続される。
【００３８】
これにより、上側接続筒部２０の内孔からなる導入口２２を通じて、作動油体が、流通パイプ６８の上流側部分内から、先ず、ケーシング１２の作動油導入空間３４内に導入されるようになる。そして、作動油導入空間３４内の作動油が、仕切りプレート２８の複数の透孔３２を通じて、ユニット収容空間３６内に収容される４個の磁気フィルタユニット１４，１４，１４，１４の各流路５５内に流入し、更に、下側接続筒部２４の内孔からなる排出口２６に向かって、それら各流路５５内を次々と流下せしめられる。このとき、作動油中の強磁性粉粒体が、各磁気フィルタユニット１４における一対の吸着プレート４０ａ，４０ｂの各磁極片部５０ａ，５０ｂのうちの、特に曲げ部５２ａ，５２ｂにて吸引されて、それら各磁極片部５０ａ，５０ｂに吸着される。そうして、作動油中から強磁性粉粒体が、分離され、除去される。その後、強磁性粉粒体が分離された作動油が、排出口２６を通じて、ケーシング１２内から排出されて、流通パイプ６８の下流側部分内に流入せしめられるようになる。
【００３９】
このように、本実施形態の磁気フィルタ装置１０を用いれば、作動油がケーシング１２内を通過する間に、作動油中から、強磁性粉粒体を確実に且つ効率的に分離することが出来る。
【００４０】
そして、特に、かかる磁気フィルタ装置１０においては、各磁気フィルタユニット１４の作動油と接触する各吸着プレート４０ａ，４０ｂの表面の全面に、銀被膜５３ａ，５３ｂが形成されている。それ故、作動油中に混入する、異臭の元となる原因物質たる微生物が、各吸着プレート４０ａ，４０ｂの表面に付着したり、或いはかかる表面において繁殖するようなことが、効果的に防止され得る。
【００４１】
従って、かくの如き本実施形態の磁気フィルタ装置１０を用いれば、強磁性粉粒体の作動油中から、強磁性粉粒体を確実に且つ効率的に分離し得るだけでなく、その使用期間が長期に亘っても、装置内部から異臭が発生するようなことが、極めて有利に防止され得るのである。
【００４２】
以上、本発明の具体的な構成について詳述してきたが、これはあくまでも例示に過ぎないのであって、本発明は、上記の記載によって、何等の制約をも受けるものではない。
【００４３】
例えば、前記実施形態では、各磁気フィルタユニット１４における一対の吸着プレート４０ａ，４０ｂのそれぞれの表面の全面に、銀被膜５３ａ，５３ｂが形成されていたが、銀被膜５３ａ，５３ｂは、各吸着プレート４０ａ，４０ｂの表面のうち、少なくとも被処理流体たる作動油に接触する部分に形成されておれば良い。従って、各吸着プレート４０ａ，４０ｂの永久磁石３８との接触面やスペーサ６６との接触面等、作動油と接触しない部分に対する銀被膜５３ａ，５３ｂの形成を省略することも出来る。また、そのような銀の被膜５３を、仕切りプレート２８やスペーサ６６、支持筒体５６等、各吸着プレート４０ａ，４０ｂ以外において作動油に接触するもののそれぞれの表面に形成しても良い。それによって、異臭の発生が、更に効果的に防止され得ることとなる。
【００４４】
また、ケーシング１２内に収容される磁気フィルタユニット１４の数は、１個であっても、複数個であっても良い。
【００４５】
さらに、前記実施形態では、各磁極片部５０ａ，５０ｂに設けられた切欠部４８ａ，４８にて、流体通過部が構成されていたが、かかる流体通過部は、被処理流体を通過させ得る構造を有しておれば良い。従って、各磁極片部５０ａ，５０ｂに貫通孔を設けて、この貫通孔にて、流体通過部を形成しても良い。また、各磁極片部に対する流体通過部の形成個数も、各磁極片部の大きな等に応じて、適宜に変更可能である。
【００４６】
更にまた、磁極片部５０ａ，５０ｂの形状や個数も、適宜に変更され得るものであることは言うまでもないところである。
【００４７】
また、磁気フィルタユニットを構成する磁石として、永久磁石に代えて、電磁石を用いることも出来る。
【００４８】
加えて、本発明は、油圧システムの内部を循環する作動油中から強磁性粉粒体を吸着分離する磁気フィルタ装置の他、強磁性粉粒体が混入した液体や気体等の各種の被処理流体中から強磁性粉粒体を吸着分離する磁気フィルタ装置の何れに対しても、有利に適用可能であることは、勿論である。
【００４９】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００５０】
１０  磁気フィルタ装置                １２  ケーシング
１４  磁気フィルタユニット            ２２  導入口
２６  排出口                          ２８  仕切りプレート
３２  透孔                            ３８  永久磁石
４０  吸着プレート                    ４２  Ｎ極面
４４  Ｓ極面                          ４８  切欠部
５０  磁極片部                        ５３  銀被膜
【図１】
2010227825.tif 000003
【図２】
2010227825.tif 000004
【図３】
2010227825.tif 000005
【図４】
2010227825.tif 000006
【図５】
2010227825.tif 000007